【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
測定ゾーン内の被検体から磁気共鳴データを取得する磁気共鳴撮像システムであって、
当該磁気共鳴撮像システムを制御するためのプロセッサと、
マシン実行可能な命令、パルスシーケンスコマンド及び辞書を記憶するメモリと、
を有し、前記パルスシーケンスコマンドは当該磁気共鳴撮像システムを複数の異なる定常状態自由歳差運動（ＳＳＦＰ）状態の磁気共鳴データを取得するように制御し、前記パルスシーケンスコマンドは、更に、当該磁気共鳴撮像システムを磁気共鳴フィンガープリンティングプロトコルに従って前記複数の異なるＳＳＦＰ状態の磁気共鳴データを取得するように制御し、前記辞書は各組織パラメータ組に複数の異なるＳＳＦＰ状態に関する事前計算された信号進展データが割り当てられた複数の組織パラメータ組を有し、
前記マシン実行可能な命令の実行は前記プロセッサに、
複数のボクセルに関する前記複数の異なるＳＳＦＰ状態の磁気共鳴データを、当該磁気共鳴撮像システムを前記パルスシーケンスコマンドにより前記磁気共鳴フィンガープリンティングプロトコルに従って制御することにより取得させ、及び
前記取得された複数の異なるＳＳＦＰ状態の磁気共鳴データに関して組織パラメータマップを再構成させ、該再構成が、各ボクセルに関して前記取得された複数の異なるＳＳＦＰ状態の磁気共鳴データに最も良く合致する前記辞書により供給される事前計算された信号進展データを識別する動作、及び該最も良く合致する事前計算された信号進展データの組織パラメータを対応するボクセルに割り当てる動作を含み、
前記パルスシーケンスコマンドは当該磁気共鳴撮像システムを繰り返し時間毎に複数の異なるＳＳＦＰ状態の磁気共鳴データを取得するように制御するよう構成され、前記プロセッサが、当該磁気共鳴撮像システムを前記パルスシーケンスコマンドにより前記磁気共鳴フィンガープリンティングプロトコルに従って制御することにより、複数のボクセルに関して繰り返し時間毎に前記複数の異なるＳＳＦＰ状態の磁気共鳴データが取得される、
磁気共鳴撮像システム。
【請求項２】
前記組織パラメータ組の各々に関して前記事前計算された信号進展データは複数の事前計算された信号進展曲線のデータを有し、これら事前計算された信号進展曲線の各々は前記複数の異なるＳＳＦＰ状態のうちの１つのＳＳＦＰ状態に割り当てられると共に対応するＳＳＦＰ状態の信号進展を特徴付け、
前記取得された複数の異なるＳＳＦＰ状態の磁気共鳴データは複数の取得された信号進展曲線のデータを有し、これら取得された信号進展曲線の各々は前記複数の異なるＳＳＦＰ状態のうちの１つのＳＳＦＰ状態に割り当てられ、
前記取得された複数の異なるＳＳＦＰ状態の磁気共鳴データに最も良く合致する事前計算された信号進展データの識別が、取得された信号進展曲線と同一のＳＳＦＰ状態に割り当てられた事前計算された信号進展曲線との各比較に関する合致係数を決定する動作、及び前記最も良く合致する事前計算された信号進展データを識別するために該合致係数を使用する動作を含む、
請求項１に記載の磁気共鳴撮像システム。
【請求項３】
前記合致係数を決定する動作が、更に、各組織パラメータ組の事前計算された信号進展データに関する平均合致係数を計算する動作、及び最良の平均合致係数を持つ事前計算された信号進展データを前記取得された複数の異なるＳＳＦＰ状態の磁気共鳴データに最も良く合致する事前計算された信号進展データであるとして識別する動作を有する、請求項３に記載の磁気共鳴撮像システム。
【請求項４】
前記取得された複数の異なるＳＳＦＰ状態の磁気共鳴データの前記事前計算された信号進展データとの合致判定は、正規化された取得された信号進展曲線と同一のＳＳＦＰ状態に割り当てられた正規化された信号進展曲線との間の内積を決定する動作を有し、
最良の平均合致が前記内積のうちの最高の平均内積により与えられる、
請求項３に記載の磁気共鳴撮像システム。
【請求項５】
前記取得された複数の異なるＳＳＦＰ状態の磁気共鳴データに最も良く合致する事前計算された信号進展データの識別が、更に、前記取得された複数の異なるＳＳＦＰ状態の磁気共鳴データと個々の信号進展との比較の結果に重み係数を用いて重み付けする動作を有する、請求項２から４の何れか一項に記載の磁気共鳴撮像システム。
【請求項６】
より高次のＳＳＦＰ状態に割り当てられた信号進展曲線の比較の結果に、より低次のＳＳＦＰ状態に割り当てられた信号進展との比較の結果より小さな重み係数が割り当てられる、請求項５に記載の磁気共鳴撮像システム。
【請求項７】
前記取得された複数の異なるＳＳＦＰ状態の磁気共鳴データが以下のＳＳＦＰ状態：即ち、Ｆ-2、Ｆ-1、Ｆ０、Ｆ１及びＦ２の磁気共鳴データを有する、請求項１から６の何れか一項に記載の磁気共鳴撮像システム。
【請求項８】
前記磁気共鳴フィンガープリンティングプロトコルに従う前記複数の異なるＳＳＦＰ状態の磁気共鳴データの取得が、該複数の異なるＳＳＦＰ状態の磁気共鳴データの取得の間において以下のパラメータ：即ち、フリップ角の絶対値、ラジオ波位相、勾配磁場、エコー時間及び繰り返し時間のうちの１以上を変化させる動作を有する、請求項１から７の何れか一項に記載の磁気共鳴撮像システム。
【請求項９】
前記パラメータが１以上の擬似ランダムパターンを用いて独立に変化される、請求項８に記載の磁気共鳴撮像システム。
【請求項１０】
前記マシン実行可能な命令の実行が前記プロセッサに、更に、前記辞書の信号進展データを事前に計算させ、その場合において前記複数の異なるＳＳＦＰ状態に関する信号進展データは前記辞書の各組織パラメータ組に関して事前に計算されるようにすると共に、該事前に計算された信号進展データを前記メモリにおける前記辞書内に記憶させる、請求項１から９の何れか一項に記載の磁気共鳴撮像システム。
【請求項１１】
前記信号進展データの前記事前の計算が、前記複数の異なるＳＳＦＰ状態の各状態に関して信号進展データを下記のパラメータ：即ち、フリップ角の絶対値、ラジオ波位相、勾配磁場、エコー時間及び繰り返し時間のうちの１以上の変化を用いてモデル化するステップを有する、請求項１０に記載の磁気共鳴撮像システム。
【請求項１２】
前記組織パラメータマップを用いて１以上の磁気共鳴画像が再構成される、請求項１から１１の何れか一項に記載の磁気共鳴撮像システム。
【請求項１３】
測定ゾーン内の被検体から磁気共鳴データを取得するために磁気共鳴撮像システムを制御するプロセッサにより実行するためのマシン実行可能な命令を有するコンピュータプログラムであって、
前記マシン実行可能な命令の実行が前記プロセッサに、
磁気共鳴フィンガープリンティングプロトコルに従う複数のボクセルに関する繰り返し時間当たり複数の異なる定常状態自由歳差運動（ＳＳＦＰ）状態の磁気共鳴データを、前記磁気共鳴撮像システムを、該磁気共鳴撮像システムを磁気共鳴フィンガープリンティングプロトコルに従って前記複数の異なるＳＳＦＰ状態の磁気共鳴データを取得するように制御するパルスシーケンスコマンドにより制御することにより取得させ、並びに
前記取得された複数の異なるＳＳＦＰ状態の磁気共鳴データに関して組織パラメータマップを再構成させ、その場合において、該再構成は、各ボクセルに関して前記取得された複数の異なるＳＳＦＰ状態の磁気共鳴データに最も良く合致する辞書により供給される事前計算された信号進展データを識別することと、該最も良く合致する事前計算された信号進展データの組織パラメータ組を対応するボクセルに割り当てることとを有し、前記辞書が各組織パラメータ組に複数の異なるＳＳＦＰ状態に関して事前計算された信号進展データが割り当てられた複数の組織パラメータ組を有する、
コンピュータプログラム。
【請求項１４】
測定ゾーン内の被検体から磁気共鳴データを取得するために磁気共鳴撮像システムを動作させる方法であって、
磁気共鳴フィンガープリンティングプロトコルに従って複数のボクセルに関する複数の異なる定常状態自由歳差運動（ＳＳＦＰ）状態の磁気共鳴データを、前記磁気共鳴撮像システムを、該磁気共鳴撮像システムを前記磁気共鳴フィンガープリンティングプロトコルに従って前記複数の異なるＳＳＦＰ状態の磁気共鳴データを取得するように制御するパルスシーケンスコマンドにより制御することにより取得するステップと、
前記取得された複数の異なるＳＳＦＰ状態の磁気共鳴データに関して組織パラメータマップを再構成するステップであって、各ボクセルに関して前記取得された複数の異なるＳＳＦＰ状態の磁気共鳴データに最も良く合致する辞書により供給される事前計算された信号進展データを識別することと、該最も良く合致する事前計算された信号進展データの組織パラメータ組を対応するボクセルに割り当てることとを有する再構成するステップとを有し、前記辞書が各組織パラメータ組に複数の異なるＳＳＦＰ状態に関して事前計算された信号進展データが割り当てられた複数の組織パラメータ組を有する、
方法。